(57)【要約】【課題】  ＴＰＯに応じて気軽にゴーグルのデザインを変化させることができ、しかも、装飾機能および防寒機能を付与可能なゴーグルの装飾耳当て部材を提供すること。【解決手段】  着用者の眼前に配置されるフロントフレーム21の外側端同士がベルト22で連結され、着用者頭部に装着可能なゴーグル２において、前記ベルト22に着脱自在に巻着可能な布生地から成る耳当て部材１であって、この耳当て部材１の少なくとも外側表面には装飾手段11を付与し、かつ、着用者の耳当接側表面には被覆保護手段12を付与するという技術的手段を採用することによってゴーグルの装飾耳当て部材を完成させた。【選択図】  図１
2005230209.tif 000002
【特許請求の範囲】
【請求項１】
着用者の眼前に配置されるフロントフレーム21の外側端同士がベルト22で連結され、着用者頭部に装着可能なゴーグル２において、前記ベルト22に着脱自在に巻着可能な布生地から成る耳当て部材１であって、
この耳当て部材１の少なくとも外側表面には装飾手段11が付与され、かつ、着用者の耳当接側表面には被覆保護手段12を付与したことを特徴とするゴーグルの装飾耳当て部材。
【請求項２】
耳当て部材１の裏面縁部には接合手段13が配設されており、この接合手段13により両縁部を止着することによって、ゴーグル２のベルト22に巻着可能であることを特徴とする請求項１記載のゴーグルの装飾耳当て部材。
【請求項３】
耳当て部材１の裏面縁部に配設した接合手段13が、掛けボタンまたはスライドファスナー、ベルクロ式ファスナー、ホックの何れかであることを特徴とする請求項１または２記載のゴーグルの装飾耳当て部材。
【請求項４】
耳当て部材１がスリーブ状に形成されており、ゴーグル２のベルト22に挿通することによって配置可能であることを特徴とする請求項１記載のゴーグルの装飾耳当て部材。
【請求項５】
耳当て部材１がフェイク・ファー生地であることを特徴とする請求項１〜４の何れか一つに記載のゴーグルの装飾耳当て部材。
【請求項６】
耳当て部材１の表面の装飾手段11として柄模様が形成されていることを特徴とする請求項１〜５の何れか一つに記載のゴーグルの装飾耳当て部材。
【請求項７】
耳当て部材１に収納ポケット14が形成されていることを特徴とする請求項１〜６の何れか一つに記載のゴーグルの装飾耳当て部材。
【請求項８】
着用者の眼前に配置されるフロントフレーム21の外側端同士がベルト22で連結され、着用者頭部に装着可能なゴーグル２であって、
布生地から成り、少なくとも外側表面には装飾手段11が付与され、かつ、着用者の耳当接側表面には被覆保護手段12を付与した耳当て部材１が前記ベルト22に着脱自在に巻着されていることを特徴とする装飾耳当て部材を備えたゴーグル。
【請求項９】
着用者の眼前に配置されるフロントフレーム21の外側端同士がベルト22で連結され、着用者頭部に装着可能なゴーグル２を装飾するにあたり、
前記ベルト22に布生地から成る耳当て部材１を巻着するとともに、この耳当て部材１の外側表面に付与した装飾手段11を表出させ、かつ、その反対表面に付与した被覆保護手段12を着用者の耳に当接せしめることを特徴とするゴーグルの装飾方法。
【発明の詳細な説明】
【技術分野】
【０００１】
本発明は、スキーやスノーボード、あるいはオートバイの運転時などに着用するゴーグルの改良、更に詳しくは、ＴＰＯに応じて気軽にゴーグルのデザインを変化させることができ、しかも、装飾機能および防寒機能をも付与可能なゴーグルの装飾耳当て部材およびそれを備えたゴーグル、およびその装飾耳当て部材を用いたゴーグルの装飾方法に関するものである。
【背景技術】
【０００２】
周知のとおり、スキーやスノーボードなどのウィンタースポーツ、あるいはオートバイの運転時などには、風や塵から眼を保護して視界を確保するためにゴーグルを着用しており、最近では、ファッション性をアピールするためのアイテムとしての使用も流行している。
【０００３】
ところで、かかるゴーグル着用時にあっては、良好な視界で風を切っての滑走や走行を非常に楽しめる一方、かかる風に曝される顔面は非常に寒く感じられ、特に、耳は体温を奪われ易いという問題があった。
【０００４】
そこで、従来、防寒機能を備えたゴーグルが開示されているが（例えば、特許文献１参照）、かかるゴーグルでは、フロントフレームとベルト部分とが一体不可分に作製されているため、デザインが単一であり、最新流行を追い続ける需要者にとって商品の魅力に乏しく、購買意欲が刺戟されないという不満があった。
【０００５】
また、オートバイの運転時の着用にあっては、頭部に巻き付けて固定すると嵩張ってヘルメットと干渉して煩わしく、使い勝手が悪いという不満があり、このように、各種用途のゴーグルに転用できるという汎用性にも乏しいと云える。
【特許文献１】実用新案登録第 3062451号公報  （第１−２頁、図１）
【発明の開示】
【発明が解決しようとする課題】
【０００６】
本発明は、従来のゴーグルに上記のような不満があったことに鑑みて為されたものであり、ＴＰＯに応じて気軽にゴーグルのデザインを変化させることができ、しかも、装飾機能および防寒機能を付与可能なゴーグルの装飾耳当て部材を提供することを技術的課題とする。
【０００７】
また、本発明は、ＴＰＯに応じて気軽にデザインを変化させることができ、しかも、装飾機能および防寒機能をも有するゴーグル、および装飾耳当て部材を用いてゴーグルを装飾する方法を提供することを技術的課題とする。
【課題を解決するための手段】
【０００８】
本発明者が上記課題を解決するために採用した手段を添付図面を参照して説明すれば次のとおりである。
【０００９】
即ち、本発明は、着用者の眼前に配置されるフロントフレーム21の外側端同士がベルト22で連結され、着用者頭部に装着可能なゴーグル２において、前記ベルト22に着脱自在に巻着可能な布生地から成る耳当て部材１であって、
この耳当て部材１の少なくとも外側表面には装飾手段11を付与し、かつ、着用者の耳当接側表面には被覆保護手段12を付与するという技術的手段を採用することによってゴーグルの装飾耳当て部材を完成させた。
【００１０】
また、本発明は、上記課題を解決するために、必要に応じて上記手段に加え、耳当て部材１の裏面縁部には接合手段13を配設し、この接合手段13により両縁部を止着することによって、ゴーグル２のベルト22に巻着可能にするという技術的手段を採用した。
【００１１】
更にまた、本発明は、上記課題を解決するために、必要に応じて上記手段に加え、耳当て部材１の裏面縁部に配設した接合手段13を、掛けボタンまたはスライドファスナー、ベルクロ式ファスナー、ホックの何れかにするという技術的手段を採用した。
【００１２】
更にまた、本発明は、上記課題を解決するために、必要に応じて上記手段に加え、耳当て部材１をスリーブ状に形成し、ゴーグル２のベルト22に挿通することによって配置可能にするという技術的手段を採用した。
【００１３】
更にまた、本発明は、上記課題を解決するために、必要に応じて上記手段に加え、耳当て部材１をフェイク・ファー生地にするという技術的手段を採用した。
【００１４】
更にまた、本発明は、上記課題を解決するために、必要に応じて上記手段に加え、耳当て部材１の表面の装飾手段11として柄模様を形成するという技術的手段を採用した。
【００１５】
更にまた、本発明は、上記課題を解決するために、必要に応じて上記手段に加え、耳当て部材１に収納ポケット14を形成するという技術的手段を採用した。
【００１６】
また、本発明は、着用者の眼前に配置されるフロントフレーム21の外側端同士がベルト22で連結され、着用者頭部に装着可能なゴーグル２であって、
布生地から成り、少なくとも外側表面には装飾手段11を付与し、かつ、着用者の耳当接側表面には被覆保護手段12を付与した耳当て部材１を前記ベルト22に着脱自在に巻着するという技術的手段を採用することにより装飾耳当て部材を備えたゴーグルを完成させた。
【００１７】
また、本発明は、着用者の眼前に配置されるフロントフレーム21の外側端同士がベルト22で連結され、着用者頭部に装着可能なゴーグル２を装飾するにあたり、
前記ベルト22に布生地から成る耳当て部材１を巻着するとともに、この耳当て部材１の外側表面に付与した装飾手段11を表出させ、かつ、その反対表面に付与した被覆保護手段12を着用者の耳に当接せしめるという技術的手段を採用することによってゴーグルの装飾方法を完成させた。
【発明の効果】
【００１８】
本発明にあっては、既存のゴーグルであっても、装飾手段および被覆保護手段を備えた耳当て部材を着脱自在にしたことによって、ＴＰＯに応じて気軽にゴーグルのデザインを変化させることができ、更に、耳が風に曝されるのを防止する防寒機能をも有することから、ゴーグルとしての実用的利用価値は頗る高いと云える。
【発明を実施するための最良の形態】
【００１９】
本発明の実施形態を具体的に図示した図面に基いて更に詳細に説明すると次のとおりである。
【００２０】
本発明の実施形態を図１から図６に基いて説明する。図中、符号１で指示するものは耳当て部材であり、この耳当て部材１は、少なくとも外側表面には装飾手段11が付与され、かつ、着用者の耳当接側表面には被覆保護手段12が付与されている。
【００２１】
この際、この装飾手段11として柄模様を形成することができ、本実施形態では、この耳当て部材１の表面には、動物の毛皮風の柄（ヒョウ柄）を施したものを採用し、高い装飾効果を得ることができる（図２参照）。
【００２２】
また、符号２で指示するものはゴーグルであり、このゴーグル２は、着用者の眼前に配置されるフロントフレーム21の外側端同士がベルト22で連結され、着用者頭部に装着可能に構成されている。
【００２３】
しかして、本実施形態にあっては、前記ベルト22において、布生地から成る耳当て部材１を巻着するとともに、この耳当て部材１の外側表面に付与した装飾手段11を表出させることによってゴーグル２を装飾することができる（図３および図４参照）。
【００２４】
また、その反対表面に付与した被覆保護手段12を着用者の耳に当接せしめることによって、耳が風に曝されることが無いので、防寒機能を発揮することができる。
【００２５】
本実施形態では、耳当て部材１の裏面縁部に接合手段13を配設して、この接合手段13により両縁部を止着することによって、ゴーグル２のベルト22に巻着可能に構成している。この接合手段13として、本実施形態では、ベルクロ式ファスナーを採用しているが、その他に、掛けボタン、スライドファスナー、ホックなどを採用することができる。
【００２６】
本実施形態の変形例として、図５に示すように、耳当て部材１をスリーブ状に形成し、ゴーグル２のベルト22に挿通することによって配置することも可能であり、また、この耳当て部材１に収納ポケット14を形成することもでき、例えば、スキー場でチケットや小銭を入れておくのに頗る便利である。
【００２７】
更にまた、図６に示す実施変形例にあっては、耳当て部材１にフェイク・ファー（人口毛皮）生地を採用したものであり、このフェイク・ファーは、毛足が約２〜３cmのものを採用することによって、柔らかな触り心地と優れた保温性とを得ることができる。
【００２８】
本発明は、概ね上記のように構成されるが、本発明は図示の実施形態に限定されるものでは決してなく、「特許請求の範囲」の記載内において種々の変更が可能であって、例えば、耳当て部材１の装飾手段11としては柄模様に限らず、他の模様を施すことも可能であるし、また、耳当て部材１には、ゴーグル２のレンズ表面の汚れを拭き取るのに適した生地（例えば、ポリエステル超極細繊維不織布など）を採用することもできる。
【００２９】
また、ゴーグル２は耳当てベルト１を配設可能なベルト22を有するものであれば、フロントフレーム21についての形状は、左右それぞれのレンズ毎に設けられているものであってもよく、何れのものも本発明の技術的範囲に属する。
【図面の簡単な説明】
【００３０】
【図１】本発明の実施形態のゴーグルを表わす全体斜視図である。
【図２】本発明の実施形態の耳当て部材を表わす全体平面図である。
【図３】本発明の実施形態の取付状態を表わす部分斜視図である。
【図４】本発明の実施形態品の使用状態を表わす全体斜視図である。
【図５】本発明の実施形態例を表わす部分斜視図である。
【図６】本発明の実施形態例を表わす部分斜視図である。
【符号の説明】
【００３１】
１    耳当て部材
11    装飾手段
12    被覆保護手段
13    接合手段
14    収納ポケット
２    ゴーグル
21    フロントフレーム
21ａ  レンズ
22    ベルト
【図１】
2005230209.tif 000003
【図２】
2005230209.tif 000004
【図３】
2005230209.tif 000005
【図４】
2005230209.tif 000006
【図５】
2005230209.tif 000007
【図６】
2005230209.tif 000008